(57)【要約】【課題】この発明は長さ調整ができるマットレス装置を提供すること。【解決手段】弾性材料によって平板状に形成されたクッション材１２と、クッション材を被覆した袋状の外装体１１を有し、クッション材には、クッション材を長手方向に沿って圧縮変形させて前記クッション材の長さを変更する弾性変形部１３ａ，１３ｂが設けられ、外装体には、変更されたクッション材の長さに応じて外装体の長さを変更する長さ調整部２１が設けられている。【選択図】      図２
2020188931.tif 000002
【特許請求の範囲】
【請求項１】
弾性材料によって平板状に形成されたクッション材と、
このクッション材を被覆した袋状の外装体を有し、
前記クッション材には、前記クッション材を長手方向に沿って圧縮変形させて前記クッション材の長さを変更する弾性変形部が設けられ、
前記外装体には、変更された前記クッション材の長さに応じて前記外装体の長さを変更する長さ調整部が設けられていることを特徴とするマットレス装置。
【請求項２】
前記外装体は、前記クッション材の上面と下面を覆う一対の鏡地と、前記クッション材の周辺部を覆うまち地を有し、
前記鏡地及び前記まち地の少なくとも前記鏡地の一部には前記クッション材を折り曲げたときに伸縮して前記外装体を前記クッション材とともに変形させる伸縮性の布地が用いられていることを特徴とする請求項１記載のマットレス装置。
【請求項３】
前記長さ調整部は、一対の前記鏡地と前記まち地との前記外装体の長手方向の一端部に位置する部分を分解して前記外装体の長さを変更できるよう組立て可能に構成されていることを特徴とする請求項２記載のマットレス装置。
【発明の詳細な説明】
【技術分野】
【０００１】
この発明はウレタンフォームなどの弾性材料によって矩形の平板状に形成されたクッション材を袋状の外装体で被覆して構成されるマットレス装置に関する。
【背景技術】
【０００２】
マットレス装置には、上述したようにクッション材を袋状の外装体で被覆した構成のものが多く用いられている。このような構成のマットレス装置は、通常、ベッド装置の基体に設けられた床板体上に載置して用いられる。
【０００３】
最近では、前記ベッド装置には前記基体の長さ、及びこの基体に設けられる前記床板体の長さを、利用者の身長や設置場所の広さなどに応じて調整できるようにした構成のものが知られている。
【０００４】
それによって、前記ベッド装置の購入者の身長が異なる場合や購入後に異なる身長の利用者が利用する場合、或いは設置場所の広さなどに応じて前記基体とともに前記床板体の長さを変えて前記ベッド装置を使用するということが行われる。
【先行技術文献】
【特許文献】
【０００５】
【特許文献１】特願２０１２−２６７２０３
【発明の概要】
【発明が解決しようとする課題】
【０００６】
上述したように、前記ベッド装置の長さ寸法を変えることができるようにすることで、種々の条件に適した状態で前記ベッド装置を利用することができるという利点がある。
【０００７】
ところで、前記ベッド装置に用いられる前記マットレス装置は、通常、その長さ寸法が前記ベッド装置の最大長さ寸法に合わせて設定されている。そのため、前記ベッド装置の長さ寸法を最大長さ寸法よりも短くして使用する場合、前記マットレス装置の長さ寸法を前記ベッド装置の長さ寸法に合うよう短くすることが要求されることになる。
【０００８】
しかしながら、従来では、上述したように弾性材料によって矩形の平板状に形成されたクッション材を袋状の外装体で被覆して構成される前記マットレス装置は、前記ベッド装置の長さ寸法を短くしたとき、その長さ寸法に応じて容易かつ確実に長さ寸法を変更できるようになっていなかった。
【０００９】
そのため、前記ベッド装置を最大長さ寸法よりも短くして使用する場合、前記マットレス装置が前記ベッド装置の基体よりも長い状態で使用することになるため、使用し難いということがあったり、前記ベッド装置全体の外観が大きく損なわれるなどのことがあった。
【００１０】
この発明は、ベッド装置の長さを変更したときに、その長さに応じて容易かつ確実に長さ寸法を変えることができるようにしたマットレス装置を提供することにある。
【課題を解決するための手段】
【００１１】
この発明は、弾性材料によって平板状に形成されたクッション材と、
このクッション材を被覆した袋状の外装体を有し、
前記クッション材には、前記クッション材を長手方向に沿って圧縮変形させて前記クッション材の長さを変更する弾性変形部が設けられ、
前記外装体には、変更された前記クッション材の長さに応じて前記外装体の長さを変更する長さ調整部が設けられていることを特徴とするマットレス装置にある。
【発明の効果】
【００１２】
この発明によれば、前記クッション材を圧縮変形させて長さを変えたならば、前記外装体を、前記長さ調整部によって前記クッション材の長さ変更に応じて前記クッション材と対応する長さに変更することができる。
【００１３】
そのため、前記クッション材を圧縮変形させることと、前記外装体の長さを、前記長さ調整部によって長さ変更された前記クッション材に対応させることで、前記マットレス装置の長さを変えることができるから、その長さ変更を容易かつ確実に行うことが可能となる。
【図面の簡単な説明】
【００１４】
【図１】図１はこの発明の一実施の形態を示し、（ａ）は最大長さに設定されたベッド装置の側面図、（ｂ）は前記ベッド装置の長さ寸法を最大長さ寸法から所定の長さ寸法に短くした側面図。
【００１５】
【図２】マットレス装置の下面を上に向けた状態の斜視図。
【００１６】
【図３】（ａ）は前記マットレス装置のクッション材の弾性変形部が圧縮されていない状態を示す長手方向一端部の側面図、（ｂ）は前記クッション材の長手方向の一端部を圧縮した状態を示す長手方向一端部の側面図。
【００１７】
【図４】前記クッション材の長手方向の一端部を圧縮した状態で、その端面がまち地の折り返し部で保持されて上下一対の鏡地の端部が解放された状態を示す、外装体の長手方向一端部に設けられた長さ調整部の斜視図。
【００１８】
【図５】前記長さ調整部の端部を上下一対の鏡地で閉じた状態を示す斜視図。
【発明を実施するための形態】
【００１９】
以下、この発明の一実施の形態を図１乃至図５を参照しながら説明する。  
図１（ａ），（ｂ）はベッド装置１を示す側面図である。このベッド装置１は基体２を有する。この基体２は長手方向一端にヘッドボード３が立設され、他端部の下面には脚体４が垂設されている。前記基体２は前記ヘッドボード３と前記脚体４によって所定の高さで水平に支持されている。
【００２０】
前記基体２は、この基体２の長手方向中途部に設けられた長さ調整機構５によって長手方向の寸法を変えることができるようになっている。前記基体２は、前記長さ調整機構５によって図１（ａ）にＬ１で示す最大長さから、図１（ｂ）にＬ２で示す前記Ｌ１よりも短い長さに変更できるようになっている。  
前記基体２の長さは最大と最小の２段階、或いは最大長さから段階的に複数の長さに短くできる構造のいずれであってもよい。
【００２１】
前記長さ調整機構５の詳細は図示しないが、たとえば前記基体２を構成する側板を長手方向中途部で分割し、分割された前記側板を長さ調整可能に連結し、所定の長さで固定できる構成などが考えられる。
【００２２】
前記基体２の上面には床板体７が載置される。前記床板体７は、詳細は図示しないが、前記長さ調整機構５によって前記基体２の長さを変えたとき、前記基体２とともに長さを変更できるようになっている。
【００２３】
前記床板体７の長さ調整は、たとえば前記長さ調整機構５と対応する前記床板体７の一部分をスライド可能に重ね合わせるとともに、所定のスライド位置で固定できるように連結し、前記基体２の長さを短くしたとき、前記床板体７の一部分をスライドさせて長さ寸法を短くし、その状態でスライド不能に固定することで、前記基体２と同じ長さになるよう短くする構成が考えられる。
【００２４】
前記床板体７の上面にはマットレス装置８が載置される。図２は前記マットレス装置８の、前記床板体７に載置される下面を上にした斜視図である。前記マットレス装置８は袋状に形成された外装体１１と、この外装体１１内に収容された図３に一部省略して示すクッション材１２とによって構成されている。
【００２５】
前記クッション材１２は、ウレタンフォームなどの弾性材料によって所定の厚さを有する矩形の平板状に形成されていている。前記クッション材１２の長手方向の一端部と中途部には、それぞれ前記クッション材１２を長手方向に沿って圧縮させたとき、前記クッション材１２の長さ寸法を変更、すなわち長さ寸法を短くすることができる第１の弾性変形部１３ａと第２の弾性変形部１３ｂが所定間隔で離間して形成されている。
【００２６】
前記第１の弾性変形部１３ａと、前記第２の弾性変形部１３ｂは、前記クッション材１２の上面と下面にそれぞれ一端が開放した第１の傾斜溝１５ａと第２の傾斜溝１５ｂが上下方向に分割され形成されている。
【００２７】
前記第１の傾斜溝１５ａと前記第２の傾斜溝１５ｂは、前記クッション材１２の長手方向に対して逆方向に傾斜し、かつ前記長手方向に対して所定間隔で形成されている。
【００２８】
それによって、前記クッション材１２の長手方向の一端部を図３（ａ）に矢印Ｘで示す長手方向に押圧すれば、図２（ｂ）に示すように前記第１の傾斜溝１５ａと前記第２の傾斜溝１５の隙間が閉じる方向に前記第１の弾性変形部１３ａと前記第２の弾性変形部１３ｂが弾性的に圧縮変形されるから、前記クッション材１２の長さ寸法を縮小させることができる。
【００２９】
前記第１の傾斜溝１５ａと、前記第２の傾斜溝１５ｂは逆方向に傾斜している。そのため、前記クッション材１２の長手方向の一端部を圧縮して変形させるとき、前記クッション材１２の前記一端部が上面側や下面側に大きく変形するのが防止されるようになっている。
【００３０】
なお、前記クッション材１２を圧長手方向に圧縮形させる前記第１の弾性変形部１３ａと前記第２の弾性変形部１３ｂの構造は上述したものに限定されず、種々変形可能である。
【００３１】
図２乃至図４に示すように、前記クッション材１２を被覆した袋状の前記外装体１１は、前記クッション材１２の上面と下面を覆う一対の鏡地１７と、前記クッション材１２の外周面を全長にわたって覆うまち地１８とによって形成されている。
【００３２】
前記外装体１１の長手方向の一端部側、つまり前記第１の弾性変形部１３ａと前記第２の弾性変形部１３ｂが形成された部分を覆う上下一対の鏡地１７と、同じく他端部側の両側面と端面を覆う部分の前記まち地１８は伸縮性を有する第１の布地１７ａ，１８ａが用いられている。
【００３３】
前記外装体１１の長手方向の他端部側の上下一対の鏡地１７と、同じく他端部側の両側面と端面を覆う部分の前記まち地１８は、たとえばテント用シートなどのように伸縮性のほとんどない第２の布地１７ｂ，１８ｂが用いられている。
【００３４】
なお、一対の前記鏡地１７のうち、上下両側だけでなく、下面側の鏡地１７だけを伸縮性を有する第１の布地１７ａによって形成するようにしてもよく、また前記まち地１８には伸縮性のない布地１８ａを用いるようにしてもよい。つまり、前記マットレス装置８の少なくとも下面側の鏡地１７だけに伸縮性を有する布地１７ａが用いられるようにすればよい。
【００３５】
このような構造により、前記マットレス装置８の伸縮性を有する前記第１の布地１７ａ，１８ａによって覆われた長手方向の一端部側は、長手方向及び幅方向に対して弾性的に変形させることができる、柔軟性を有する構造となっている。
【００３６】
このように構成された前記マットレス装置８は、前記第１の布地１７ａによって覆われた長手方向の一端部側の下面を、起上駆動される前記ベッド装置の図示しない背床板に接触するよう下面にして設置する。
【００３７】
そして、背上げ時に前記背床板が上昇方向に駆動され、前記マットレス装置８の長手方向の一端部側が前記背床板によって長手方向の上面側に屈曲されたとき、前記鏡地１７の前記第１の布地１７ａによって形成された部分、及び前記まち地１８の前記第１の布地に１８ａによって形成された部分が円滑に弾性変形することになる。つまり、前記背床板を上昇方向に駆動する背上げ時に、前記マットレス装置８は前記背床板の上昇によって長手方向に円滑に弾性変形するようになっている。
【００３８】
また、前記マットレス装置８の下面全体に伸縮性を有する布地１７ａを用いれば、前記背床板を幅方向に回動させて利用者の床ずれを防止する場合も、前記マットレス装置８を幅方向に弾性的に湾曲させることができる。
【００３９】
前記クッション材１２の長手方向の一端部側を被覆した前記外装体１１の一対の前記鏡地１７と前記まち地１８は、前記クッション材１２の長手方向の一端部側を圧縮変形させる前に、前記鏡地１７とまち地１８を分解することができる。
【００４０】
前記クッション材１２の長手方向の一端部側を圧縮変形させた後、圧縮された前記クッション材１２の長手方向の一端部側は前記鏡地１７とまち地１８によって包み込んで覆うことができる。
【００４１】
つまり、前記外装体１１の長手方向の一端部側は、前記クッション材１２の長手方向の一端部側を圧縮変形させて前記クッション材１２の長さ寸法を短くするときには開放することができ、短くした後は、短くする前と同様、前記クッション材１２の長手方向の一端部を包み込んで閉塞することができる、開閉可能な長さ調整部２１に形成されている。
【００４２】
すなわち、前記長さ調整部２１は、前記ベッド装置１の長さを短くしたとき、その長さ変更に応じて前記クッション材１２を圧縮変形させた状態で、そのクッション材を包み込めるよう、前記外装体１１の長さを変更できるようになっている。
【００４３】
前記長さ調整部２１は以下のように構成されている。  
図２、図４及び図５に示すように、前記マットレス装置８の長手方向一端部側の前記クッション材１２の上面と下面を覆う一対の前記鏡地１７と、長手方向一端部側の両側面を覆う前記まち地１８の上下端とは分割されている。分割された一対の前記鏡地１７と前記まち地１８は、前記鏡地１７の幅方向の端縁に設けられた第１のファスナ２２と、前記まち地１８の上下方向の端縁に設けられた第２のファスナ２３によって分解可能に連結されている。
【００４４】
図２に示すように、前記まち地１８の前記クッション材１２の長手方向一端部側の端面を覆う部分である、端面部１８Ｅの上下方向の一端である下端(図２、図４、図５では上側になっている。)と、下面側の前記鏡地１７(図２、図４、図５では上側になっている。)の上下方向の端縁は、前記鏡地１７に設けられた第３のファスナ２４ａと、前記端面部１８Ｅの端縁に設けられた第４のファスナ２４ｂによって分解可能に連結できるようになっている。
【００４５】
図２に示すように、前記まち地１８の前記クッション材１２の側面を被覆した両端部は、前記端面部１８Ｅの内面側に重なるよう前記クッション材１２の端面側に折り返された折り返し部２５となっている。一対の折り返し部２５にはそれぞれ上下方向に一対の第１のホック２６が設けられている。一方の第１のホック２６はオスホックで、他方はメスホックとなっている。
【００４６】
一対の前記第１のホック２６は、前記まち地１８の前記端面部１８Ｅの長手方向両端部の内面にそれぞれ設けられた各一対の第２のホック２７に着脱可能に連結されるようになっている。
【００４７】
つまり、前記外装体１１の長手方向一端側を覆う前記まち地１８の前記端面部１８Ｅは、前記第１のホック２６に前記第２のホック２７を着脱することで、開閉できるようになっている。
【００４８】
図２に示すように、前記マットレス装置８の下面の前記鏡地１７の前記第１の布地１７ａの長手方向中途部の幅方向両端部には、前記端面部１８Ｅの長手方向両端部の内面にそれぞれ設けられた一対の前記第２のホック２７が後述するように着脱可能に連結される第３のホック２９が設けられている。
【００４９】
つまり、前記第１の弾性変形部１３ａと前記第２の弾性変形部１３ｂを圧縮変形させ、前記クッション材１２の長さ寸法を短くし、前記端面部１８Ｅを図５に示すように前記鏡地１７の上面側に折り曲げれば、前記端面部１８Ｅの両端に設けられた前記第２のホック２７を、前記鏡地１７の上面に設けられた前記第３のホック２９に係着させることができる。
【００５０】
それによって、前記クッション材１２は長さが寸法が短く圧縮された状態で、折り曲げられた前記端面部１８Ｅによって保持される。
【００５１】
前記クッション材１２を圧縮変形させると、前記まち地１８の両側の一対の前記第１の布地１８ａの端部である、前記折り返し部２５が前記クッション材１２の端面から長手方向に突出するから、図４に示すように前記折り返し部２５の端部を前記クッション材１２の端面に重なるよう折り曲げることで、前記第１のホック２６を係着させることができる。それによって、前記クッション材１２は長さが短く圧縮された状態で、前記前記折り返し部２５によって元の長さに復元しないよう保持される。
【００５２】
図５に示すように、前記鏡地１７の一端部側を折り曲げて、前記鏡地１７の端部の前記端面部１８Ｅの前記第３のホック２９に前記鏡地１７の前記第２のホック２７を係着させるとき、前記クッション材１２の下面(図５に示すマットレス装置８の上面)から突出した前記鏡地１７の前記第１の布地１７ａの一端部側は、図４に示すように前記クッション材１２の上面側で折り曲げられた状態で、その上面側に重なるよう折り曲げられた前記鏡地１７の一端部の下面側に収容される。
【００５３】
つまり、前記外装体１１は、前記クッション材１２の前記第１の弾性変形部１３ａと前記第２の弾性変形部１３ｂとを圧縮変形して前記クッション材１２の長さを変更したとき、その長さ変更に応じて、上述した構成の前記長さ調整部２１によって長さを変更し、かつ弾性的に圧縮された前記クッション材１２をその長さで保持できるようになっている。
【００５４】
上述した構成の前記マットレス装置８によれば、袋状に形成された前記外装体１１の内部には、矩形板状の前記クッション材１２が収容されている。前記クッション材１２の長手方向の一端部には、圧縮変形させることで前記クッション材１２の長さ寸法を短くすることができる前記第１の弾性変形部１３ａと、前記第２の弾性変形部１３ｂとが形成されている。
【００５５】
前記外装体１１の長手方向の一端部には、前記第１の弾性変形部１３ａと、前記第２の弾性変形部１３ｂを圧縮変形させて前記クッション材１２の長さ寸法を短くしたとき、その長さ寸法に応じて前記外装体１１の長さを変更できる前記長さ調整部２１が形成されている。
【００５６】
そのため、前記マットレス装置８が載置される前記ベッド装置１の長さ寸法を、たとえば利用者の身長などに応じて最大長さ寸法よりも短くして使用する場合、前記マットレス装置８の長さを、前記ベッド装置１の長さに適した長さに変更することができる。
【００５７】
前記クッション材１２を圧縮変形させて前記マットレス装置８の長さ寸法を変更した場合、前記クッション材１２を被覆した前記外装体１１の長さ寸法も前記長さ調整部２１によって前記クッション材１２の長さ寸法に応じて変更することができる。
【００５８】
前記外装体１１の長さ寸法の変更は、図２の状態にあるマットレス装置８において、係着した前記第３のファスナ２４ａと第４のファスナ２４ｂの係着を外す。
【００５９】
ついで、前記第１のホック２６によって連結された前記まち地１８の前記端面部１８Ｅを、前記まち地１８の前記折り返し部２５から外したのち、前記鏡地１７の幅方向両端に前記まち地１７の上下端を連結した前記第１のファスナ２２と前記第２のファスナ２３の係着を外す。
【００６０】
それによって、前記外装体１１に収容された前記クッション材１２の長手方向の一端部側を、前記外装体１１の一端部側に形成された前記長さ調整部２１から露出させることができる。
【００６１】
つぎに、前記外装体１１から露出した前記クッション材１２の一端部を図３に矢印Ｘで示す方向に押圧し、長さ寸法が短くなるよう圧縮変形させたなら、前記クッション材１２の端面から突出した前記まち地１８の両端部の一対の前記折り返し部１５を、図４に示すように前記第１のホック２６によって連結する。
【００６２】
ついで、前記まち地１８の前記端面部１８Ｅを前記鏡地１７の前記第１の布地１７ａの上面側に折り曲げ、その一端側の幅方向両端部に設けられた前記第２のホック２７を前記第１の布地１７ａの上面の幅方向両端部に設けられた前記第３のホック２９に係着する。
【００６３】
それによって、前記マットレス装置８は、前記外装体１１の長手方向の一端部が袋状に閉塞された状態で、長さ寸法を短くすることができる。
【００６４】
このとき、前記クッション材１２を圧縮変形させることで長さが余った、図４における上側の前記第１の布地１７ａ(鏡地１７)の一端部は、前記クッション材１２の上面側に重なるよう折り曲げられる。
【００６５】
そして、図４における下側の前記第１の布地１７ａ(鏡地１７)の一端部は、図５に示すように前記クッション材１２の上面側を覆うように折り曲げられ、前記端面部１８Ｅの前記第２のホック２７を前記第３のホック２９に係着させる。
【００６６】
それによって、前記クッション材１２の上面側に折り曲げられた前記第１の布地１７ａの一端部は、図４における下側の前記第１の布地１７ａの下面側に収容される。
【００６７】
つまり、前記ベッド装置１の長さ寸法を短くしても、その長さ変更に応じて前記マットレス装置８の長さ寸法を容易かつ迅速に、しかも前記外装体１１の外観形状を損なうようなことなく変更することができる。
【符号の説明】
【００６８】
１１…外装体、１２…クッション材、１３ａ，１３ｂ…弾性変形部、１７…鏡地、１８，１８Ｅ…まち地、２１…長さ調整部、２５…折り返し部。
【図１】
2020188931.tif 000003
【図２】
2020188931.tif 000004
【図３】
2020188931.tif 000005
【図４】
2020188931.tif 000006
【図５】
2020188931.tif 000007